(57)【要約】    【課題】  青果物などの陳列物の種々の大きさ、種々の形状などに対応できるボリュウーム感のある陳列の演出に優れた簡易な構造の商品陳列台を提供すること。  【解決手段】  水平部材１１１と垂直部材１１２とからなる略Ｌ字断面形状の商品陳列基台１１と、水平部材１１１上に設置される陳列補助台１３ａと、商品陳列基台１３ａ及び陳列補助台１３ａに陳列される商品を区画する仕切り板１２を有するものであって、陳列補助台１３ａに、仕切り板１２が嵌る縦嵌合溝１４ａ形成してなる。【選択図】        図１
2006034552.tif 000002
【特許請求の範囲】
【請求項１】
水平部材と垂直部材とからなる略Ｌ字断面形状の商品陳列基台と、該水平部材上に設置される陳列補助台と、該商品陳列基台及び該陳列補助台に陳列される商品を区画する仕切り板を有するものであって、該陳列補助台に、該仕切り板が嵌る縦嵌合溝又は嵌合孔を形成してなることを特徴とする商品陳列台。
【請求項２】
前記陳列補助台が、四角断面、三角断面又は階段状断面を有する箱状物であるか、又は天板と該天板の前方端から下方へ屈曲する前方板からなる略Ｌ字断面形状物であることを特徴とする請求項１記載の商品陳列台。
【請求項３】
前記縦嵌合溝又は前記嵌合孔は、左右方向に等ピッチで多数形成されることを特徴とする請求項１又は２記載の商品陳列台。
【請求項４】
前記仕切り板は、該縦嵌合溝又は該嵌合孔に係合する係止片を少なくとも１つ備えることを特徴とする請求項１〜３のいずれか１項記載の商品陳列台。
【請求項５】
前記陳列補助台は、該商品陳列基台の水平部材又は垂直部材に付設される係合部に係合する係合片を有することを特徴とする請求項１〜４のいずれか１項記載の商品陳列台。
【請求項６】
前記商品陳列基台を複数台用い、一の商品陳列基台の垂直部材の先端と、他の商品陳列基台の水平部材の先端を接続することにより、多段のひな壇形状の商品陳列面を形成することを特徴とする請求項１〜５のいずれか１項記載の商品陳列台。
【請求項７】
多段のひな壇形状の全ての商品陳列面の陳列商品を上下同一ラインで区画する一体物の仕切り板を用いることを特徴とする請求項６記載の商品陳列台。
【請求項８】
水平部材が僅かに後方傾斜となるように設置されることを特徴とする請求項１〜７のいずれか１項記載の商品陳列台。
【発明の詳細な説明】
【技術分野】
【０００１】
本発明は、主にスーパー、百貨店、専門店、コンビニエンスストアー等の店内
の陳列棚で特に青果物を陳列するのに用いられ、陳列物の種々の大きさ、種々の形状に対応できる陳列の演出に優れた商品陳列台に関するものである。
【背景技術】
【０００２】
近年、スーパー、百貨店、専門店、コンビニエンスストアー等の店内で例えば青果物の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【特許文献１】特開２００１−１９７９８４号公報（請求項１）
【発明の開示】
【発明が解決しようとする課題】
【０００３】
しかしながら、上記の陳列棚で用いられる仕切り板は、前後方向に等ピッチで多数附設された嵌合溝に係合し、陳列商品を前後方向に区画するものである。すなわち、当該仕切り板は陳列商品が前後方向に転落、移動することを防止するものであって、左右方向を区画するものではない。このため、この種の陳列棚ではリンゴやグレープフルーツ等の丸物商品、あるいはねぎ、ごぼう等の長物商品を区画して陳列することができず、またこれらのボリュウーム感のある陳列を演出することができないという問題がある。
【０００４】
従って、本発明の目的は、青果物などの陳列物の種々の大きさ、種々の形状などに対応できるボリュウーム感のある陳列の演出に優れた簡易な構造の商品陳列台を提供することにある。
【課題を解決するための手段】
【０００５】
すなわち、本発明（１）は、水平部材と垂直部材とからなる略Ｌ字断面形状の商品陳列基台と、該水平部材上に設置される陳列補助台と、該商品陳列基台及び該陳列補助台に陳列される商品を区画する仕切り板を有するものであって、該陳列補助台に、該仕切り板が嵌る縦嵌合溝又は嵌合孔を形成してなる商品陳列台を提供するものである。
【０００６】
また、本発明（２）は、前記陳列補助台が、四角断面、三角断面又は階段状断面を有する箱状物であるか、又は天板と該天板の前方端から下方へ屈曲する前方板からなる略Ｌ字断面形状物である前記商品陳列台を提供し、また、本発明（３）は、前記縦嵌合溝又は前記嵌合孔は、左右方向に等ピッチで多数形成される前記商品陳列台を提供し、また、本発明（４）は、前記仕切り板は、該縦嵌合溝又は該嵌合孔に係合する係止片を少なくとも１つ備える前記商品陳列台を提供し、また、本発明（５）は、前記陳列補助台は、該商品陳列基台の水平部材又は垂直部材に付設される係合部に係合する係合片を有する前記商品陳列台を提供し、また、本発明（６）は、前記商品陳列基台を複数台用い、一の商品陳列基台の垂直部材の先端と、他の商品陳列基台の水平部材の先端を接続することにより、多段のひな壇形状の商品陳列面を形成する前記商品陳列台を提供し、また、本発明（７）は、多段のひな壇形状の全ての商品陳列面の陳列商品を上下同一ラインで区画する一体物の仕切り板を用いる前記商品陳列台を提供し、また、本発明（８）は、水平部材が僅かに後方傾斜となるように設置される前記商品陳列台を提供するものである。
【発明の効果】
【０００７】
本発明によれば、Ｌ字断面形状の商品陳列基台と陳列補助台と仕切り板の簡単な組み合わせで、青果物などの陳列物の種々の大きさ、種々の形状などに対応でき、ボリュウーム感のある陳列の演出を高めることができる。
【発明を実施するための最良の形態】
【０００８】
本発明の第１の実施の形態における商品陳列台について図１及び図２を参照して説明する。図１は本例の実施の形態における商品陳列台の斜視図、図２は図１の商品陳列台の分解斜視図である。第１の実施の形態における商品陳列台１０ａは、水平部材１１１と垂直部材１１２とからなる略Ｌ字断面形状の商品陳列基台１１と、水平部材１１１上に設置される陳列補助台１３ａと、商品陳列基台１１及び陳列補助台１３ａに陳列される商品（不図示）を区画する仕切り板１２を有するものであって、陳列補助台１３ａに、仕切り板１２が嵌る縦嵌合溝１４ａを形成してなる。
【０００９】
陳列補助台１３ａは、四角形断面の箱状物であり、幅寸法が商品陳列基台１１の幅寸法と同じであり、高さ及び奥行き寸法がそれぞれ商品陳列基台１１のものの約１/２である。従って、Ｌ字形断面のコーナー部に設置すれば、階段状の陳列面を形成することができる。縦嵌合溝１４ａは、陳列補助台１３ａの天板１３１のほぼ全面、前方板１３２及び図では表れない底板のほぼ全面に亘り形成され、更に左右方向に等ピッチで多数形成されている。仕切り板１２としては、商品を区画できるものであれば特に制限されず、その形状等は適宜決定される。本例では略矩形の板状物である。仕切り板１２は縦嵌合溝１４ａのいずれかの溝に嵌合され、且つ奥深く突っ込んで差し込まれる。これにより、奥側に若干の隙間が形成されるものの、陳列面のほぼ全面において、左右に商品を区画できる。また、仕切り板１２は２枚以上使用することができる。
【００１０】
商品陳列台１０ａは、Ｌ字断面形状の商品陳列基台１１と陳列補助台１３ｂとで形成される階段状の陳列面を１つ又は２つ以上の仕切り板１２で商品を区画する簡単な構造であるにも係わらず、青果物などの陳列物の種々の大きさ、種々の形状などに対応できるボリュウーム感のある陳列をすることができる。すなわち、リンゴやグレープフルーツ等の丸物商品を２つの仕切り板１２、１２で区画されたスペースに陳列する場合、丸物商品が横にこぼれることはなく、また水平部材１１１、垂直部材１１２及び２つの仕切り板１２、１２が左右両側と後側からガイド役となって、積み上げ陳列を可能にしている。また、ねぎ、ごぼう等の長物商品を２つの仕切り板１２、１２で区画されたスペースに陳列する場合、縦置きの陳列ができる。
【００１１】
また、水平部材１１１を例えば５〜１５度、好ましくは約１０度のような僅かに後方傾斜となるように設置すれば、更に安定した陳列が可能となる。水平部材１１１を僅かに後方傾斜となるように設置する方法としては、水平部材１１１の前側において不図示の陳列基台と水平部材１１１の裏面にスペーサーを介在させる方法及び水平部材１１１の裏面の前側に予め突起部を附設しておく方法等が挙げられる。
【００１２】
次に、本発明の第２の実施の形態における商品陳列台について図３及び図４を参照して説明する。図３は本例の実施の形態における商品陳列台の斜視図であり、図４は図３の商品陳列台の分解斜視図である。図３の商品陳列台１０ｂにおいて、図１の商品陳列台１０ａと同一の構成要素には同一符号を付してその説明を省略し、異なる点について主に説明する。すなわち、図４の商品陳列台１０ｂにおいて、図１の商品陳列台１０ａと異なる点は、陳列補助台の縦嵌合溝の形状と仕切り板の形状である。商品陳列台１０ｂの陳列補助台１３ｂの縦嵌合溝１４ｂは天板１３１の前後方向においてほぼ全面に亘り、且つ左右方向に所定のピッチで多数付設された部分縦嵌合溝である。また、仕切り板１２は陳列補助台１３ｂの縦嵌合溝１４ｂに嵌合する係合片１２１を有し、その下端縁の形状が縦嵌合溝１４ｂに嵌合した状態で商品陳列台１０ｂの陳列面に隙間無く左右方向を区画するようになっている。商品陳列台１０ｂにおいても、商品陳列台１０と同様の効果を奏する。
【００１３】
本第１及び第２の実施の形態における商品陳列台の陳列面に形成される縦嵌合溝の形状としては、特に制限されず、例えば図５の陳列補助台１３ａにおいて、図では表れない後板のほぼ全面、天板１３２及び前方板１３３のほぼ全面に亘り形成され、更に左右方向に等ピッチで多数形成される縦嵌合溝１４ａ（図５参照）、及び天板１３１と前方板１３２の前後方向におけるそれぞれ一部であって、左右方向に所定のピッチで多数付設された部分縦嵌合溝１４ｃが挙げられる（図６参照）。すなわち、図５に示す縦嵌合溝１３ａは、図１に示す陳列補助台１３ａを後方へ９０度回転して設置したものである。図５に示す縦嵌合溝１４ａに図１に示す仕切り板１２が嵌合した場合、該仕切り板１２と商品陳列基台１１の水平部材１１９間に若干の隙間が形成されるものの、陳列補助台１０ａと同様の効果を奏する。また、図６に示す部分縦嵌合溝１４ｃを有する陳列補助台１３ｃを用いる場合、仕切り板の下端に、天板１３１又は前方板１３２の部分縦嵌合溝１４ｃのいずれか、又は双方に嵌合する係合片を有するものが使用される。
【００１４】
次に、本発明の第３〜第８の実施の形態における商品陳列台について図７〜図１２を参照してそれぞれ説明する。図７〜図１２はそれぞれの実施の形態における商品陳列台の斜視図である。図７〜図１２の商品陳列台において、図１の商品陳列台１０ａと同一の構成要素には同一符号を付してその説明を省略し、異なる点について主に説明する。なお、図７〜図１２の商品陳列台においては、図面の描写の簡略化から仕切り板の記載を省略した。すなわち、図７の商品陳列台１０ｄにおいて、図１の商品陳列台１０ａと異なる点は、陳列補助台の形状である。すなわち、商品陳列台１０ｄで用いる陳列補助台１３ｄは、図１の陳列補助台１３ａの前方角部を四角形状に切り欠いた、いわゆる２段の階段形状の箱状物であって、下段の天板１３５及び上段の天板１３４の前後方向におけるそれぞれ中央部であって、左右方向に所定のピッチで多数付設された部分縦嵌合溝１４ｄを有するものである。なお、仕切り板の形状としては、特に制限されないが、陳列補助台に嵌合した状態において、仕切り板の下端と陳列面間に隙間がないものが好ましい。このような仕切り板の形状は、以下の実施の形態においても同様である。商品陳列台１０ｄによれば、３段の階段状の陳列面が形成できる他は、商品陳列台１０ａと同様の効果を奏する。
【００１５】
図８の商品陳列台１０ｅにおいて、図１の商品陳列台１０ａと異なる点は、陳列補助台の形状である。すなわち、商品陳列台１０ｅで用いる陳列補助台１３ｅは、図１の陳列補助台１３ａの前方角部を対角線に沿って切り欠いた、三角形断面の箱状物であって、前方傾斜面１３６の前後方向におけるほぼ全面であって、左右方向に所定のピッチで多数付設された部分縦嵌合溝１４ｅを有するものである。このような商品陳列台１０ｅによれば、前方傾斜の陳列面が形成できる他は、商品陳列台１０ａと同様の効果を奏する。
【００１６】
図９の商品陳列台１０ｆにおいて、図１の商品陳列台１０ａと異なる点は、商品陳列基台の形状と陳列補助台の形状である。すなわち、商品陳列台１０ｆで用いる商品陳列基台１１ｆは、水平部材１１１のほぼ中央に横長の係合溝１１５を付設したものである。また、陳列補助台１３ｆは、天板１３７と天板１３７の前方端から下方へ屈曲する前方板１３８からなる略Ｌ字形状のものであり、天板１３７の前後方向におけるほぼ全面であって、左右方向に所定のピッチで多数付設された部分縦嵌合溝１４ｆを付設すると共に、前方板１３８の下端縁に、商品陳列基台１１ｆの係合溝１１５に係合する係合片１３９を付設したものである。このような商品陳列台１０ｆによれば、Ｌ字形断面の簡易な構造の陳列補助台１３ｆであっても、優れた設置安定性を有する他は、商品陳列台１０ａと同様の効果を奏する。
【００１７】
図１０の商品陳列台１０ｇにおいて、図１の商品陳列台１０ａと異なる点は、商品陳列基台の形状と陳列補助台の形状である。すなわち、商品陳列台１０ｇで用いる商品陳列基台１１ｇは、水平部材１１１の奥側の両側に切り欠き部１１５、１１５を付設したものである。また、陳列補助台１３ｇは、天板１３１の前後方向におけるほぼ全面であって、左右方向に所定のピッチで多数付設された部分縦嵌合溝１４ｇを付設すると共に、両側板の下方端に、商品陳列基台１１ｇの切り欠き部１１５、１１５に係合する係合片１４４、１４４を付設したものである。このような商品陳列台１０ｇによれば、優れた設置安定性を有する他は、商品陳列台１０ａと同様の効果を奏する。
【００１８】
図１１の商品陳列台１０ｈにおいて、図１の商品陳列台１０ａと異なる点は、商品陳列基台の形状と陳列補助台の形状である。すなわち、商品陳列台１０ｈで用いる商品陳列基台１１ｈは、水平部材１１１の前後方向のほぼ中央に位置し左右に延出する横係合溝１１６を付設したものである。また、陳列補助台１３ｈは、天板１３１の前後方向におけるほぼ全面であって、左右方向に所定のピッチで多数付設された部分縦嵌合溝１４ｈを付設すると共に、前方板１３２の下方端に、商品陳列基台１１ｈの横係合溝１１６に係合する係合片１４５を付設したものである。このような商品陳列台１０ｈによれば、優れた設置安定性を有する他は、商品陳列台１０ａと同様の効果を奏する。
【００１９】
図１２の商品陳列台１０ｉにおいて、図１の商品陳列台１０ａと異なる点は、商品陳列基台の形状と陳列補助台の形状である。すなわち、商品陳列台１０ｉで用いる商品陳列基台１１ｉは、水平部材１１１の前後方向の奥側を段差を付けた薄厚部１１３としたものである。また、陳列補助台１３ｂは、天板１３１の前後方向におけるほぼ全面であって、左右方向に所定のピッチで多数付設された部分縦嵌合溝１４ｂを付設したものである。このような商品陳列台１０ｉによれば、陳列補助台１３ｂが商品陳列基台１１ｉの水平部材１１１の薄厚部１１３に嵌り込むため、優れた設置安定性を有する他は、商品陳列台１０ａと同様の効果を奏する。
【００２０】
本発明の商品陳列台は、図１３に示すように、商品陳列基台１１を複数台（例えば３台）用い、一の商品陳列基台１１の垂直部材１１２の先端と、他の商品陳列基台１１の水平部材１１１の先端を接続することにより、多段のひな壇形状の商品陳列面を形成するような使用方法であってもよい。この場合、水平部材が僅かに後方傾斜となるように設置されることが、陳列安定性が高まる点で好ましい（図１４参照）。また、図では省略するが、このような多段のひな壇形状の商品陳列面を区画する仕切り板の形状としては、特に制限されないが、多段のひな壇形状の全ての商品陳列面の陳列商品を上下同一ラインで区画する一体物の仕切り板を用いることが、ダイナミックな陳列を演出することができる点で好ましい。
【００２１】
本発明の商品陳列台は、図１５に示すように、多段のひな壇形状の商品陳列面を形成する商品陳列台を横方向に複数（例えば３基）並列に接続して、左右方向に長い陳列面を形成するものであってもよい。この場合、陳列補助台１３ｊの縦嵌合溝に嵌合する仕切り板を複数枚使用すれば、種類の異なる商品を仕切り板１２毎に区画することができる。
【００２２】
本発明の商品陳列台において、陳列補助台に形成される仕切り板の嵌合溝としては、前記の縦嵌合溝に限定されず、丸孔、四角孔、三角孔、不定形状の孔などの嵌合孔であってもよい。また、この嵌合孔は左右方向に等ピッチで多数形成されるものであれば、仕切り板を任意の寸法で区画することができる。また、前述の部分縦嵌合溝は、陳列補助台の陳列面を構成する面の中央部に限定されず、陳列面の端側であってもよい。なお、このような端側部に形成される部分縦嵌合溝は、同様に、左右方向に等ピッチで多数形成されるものであれば、仕切り板を任意の寸法で区画することができる。また、陳列補助台が係合片を有する場合、該係合片は商品陳列基台の垂直部材に付設される係合部に係合するものであってもよい。また、該係合片は商品陳列基台の水平部材と垂直部材の双方に付設される係合部に係合するものであってもよい。
【図面の簡単な説明】
【００２３】
【図１】第１の実施の形態における商品陳列台の斜視図である。
【図２】図１の商品陳列台の分解斜視図である。
【図３】第２の実施の形態における商品陳列台の斜視図である。
【図４】図３の商品陳列台の分解斜視図である。
【図５】陳列補助台の他の形態の斜視図である。
【図６】陳列補助台の他の形態の斜視図である。
【図７】第３の実施の形態における商品陳列台の斜視図である。
【図８】第４の実施の形態における商品陳列台の斜視図である。
【図９】第５の実施の形態における商品陳列台の斜視図である。
【図１０】第６の実施の形態における商品陳列台の斜視図である。
【図１１】第７の実施の形態における商品陳列台の斜視図である。
【図１２】第８の実施の形態における商品陳列台の斜視図である。
【図１３】商品陳列基台の設置形態を示す斜視図である。
【図１４】図１３の商品陳列基台の他の設置形態を示す側面図である。
【図１５】他の実施の形態における商品陳列台の斜視図である。
【符号の説明】
【００２４】
１０ａ〜１０ｊ          商品陳列台
１１、１１ｆ〜１１ｉ          商品陳列基台
１２                    仕切り板
１３ａ〜１３ｈ          陳列補助台
１４ａ〜１４ｈ          縦嵌合溝
１１１  水平部材
１１２  垂直部材
１１５  横係合溝
１１８  前面
１１９  上面
１２１、１３９、１４４、１４５  係合片
１３１  天板
１３２  前方板
【図１】
2006034552.tif 000003
【図２】
2006034552.tif 000004
【図３】
2006034552.tif 000005
【図４】
2006034552.tif 000006
【図５】
2006034552.tif 000007
【図６】
2006034552.tif 000008
【図７】
2006034552.tif 000009
【図８】
2006034552.tif 000010
【図９】
2006034552.tif 000011
【図１０】
2006034552.tif 000012
【図１１】
2006034552.tif 000013
【図１２】
2006034552.tif 000014
【図１３】
2006034552.tif 000015
【図１４】
2006034552.tif 000016
【図１５】
2006034552.tif 000017